【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
プログラムコードを格納するためのメモリと、前記プログラムコードを処理してグラフィカルユーザインターフェイス（ＧＵＩ）を生成するためのプロセッサとを有するデバイスであって、前記ＧＵＩは、
第１の所定の表示領域と、
第２の所定の表示領域と、
前記第１の所定の表示領域と前記第２の所定の表示領域との間の論理障壁であって、前記第１の所定の表示領域内の選択可能なグラフィカル要素から前記第２の所定の表示領域内の選択可能なグラフィカル要素への移動を、前記第２の所定の表示領域内の前記選択可能なグラフィカル要素の方向へ向けられたトラックボールからの入力に応答して一時的に妨げるように構成され、前記移動を、前記第２の所定の表示領域内の前記選択可能なグラフィカル要素の方向への前記トラックボールの特定の回転量について一時的に妨げるように構成された論理障壁と
を備え、前記第１の所定の表示領域が当該デバイスのディスプレイ上で可視であるときに、前記第２の所定の表示領域は可視ではなく、前記第２の所定の表示領域が当該デバイスのディスプレイ上で可視であるときに、前記第１の所定の表示領域は可視ではないことを特徴とするデバイス。
【請求項２】
前記第１の所定の表示領域および前記第２の所定の表示領域はそれぞれ、個別に当該デバイスの前記ディスプレイ全体を占有することを特徴とする請求項１に記載のデバイス。
【請求項３】
前記第１の所定の表示領域は、グラフィカルカレンダインターフェイス内の第１の月を備え、前記第１の所定の表示領域内の前記選択可能なグラフィカル要素は、前記グラフィカルカレンダインターフェイス内の前記第１の月におけるカレンダエントリを備え、
前記第２の所定の表示領域は、前記グラフィカルカレンダインターフェイス内の第２の月を備え、前記第２の所定の表示領域内の前記選択可能なグラフィカル要素は、前記グラフィカルカレンダインターフェイス内の前記第２の月におけるカレンダエントリを備えることを特徴とする請求項１に記載のデバイス。
【請求項４】
前記第１の所定の表示領域は、第１のメニューを備え、前記第１の所定の表示領域内の前記選択可能なグラフィカル要素は、選択可能なメニュー要素を備え、
前記第２の所定の表示領域内の前記選択可能なグラフィカル要素は、前記選択可能なメニュー要素に関連付けられた選択可能なサブ要素を備えることを特徴とする請求項１に記載のデバイス。
【請求項５】
ディスプレイデバイス上に表示されるグラフィカルユーザインターフェイスを通じてナビゲートするために、少なくともメモリとプロセッサを備えたコンピュータデバイスにおいて実行される方法であって、
第１の所定の表示領域を提供するステップと、
第２の所定の表示領域を提供するステップと、
前記第１の所定の表示領域内の選択可能なグラフィカル要素から前記第２の所定の表示領域内の選択可能なグラフィカル要素への移動を、前記第２の所定の表示領域内の前記選択可能なグラフィカル要素に方向へ向けられたトラックボールからの入力に応答して一時的に妨げるステップであって、前記移動は、前記第２の所定の表示領域内の前記選択可能なグラフィカル要素への前記トラックボールの特定の回転量について妨げられ、前記第１の所定の表示領域が当該デバイスのディスプレイ上で可視であるときに、前記第２の所定の表示領域は可視ではなく、前記第２の所定の表示領域が当該デバイスのディスプレイ上で可視であるときに、前記第１の所定の表示領域は可視ではない、ステップと
を含むことを特徴とする方法。
【請求項６】
前記第１の所定の表示領域および前記第２の所定の表示領域は、それぞれ個別に前記ディスプレイデバイスのディスプレイ全体を占有することを特徴とする請求項５に記載の方法。
【請求項７】
前記第１の所定の表示領域は、グラフィカルカレンダインターフェイス内の第１の月を備え、前記第１の所定の表示領域内の前記選択可能なグラフィカル要素は、前記グラフィカルカレンダインターフェイス内の前記第１の月におけるカレンダエントリを備え、
前記第２の所定の表示領域は、前記グラフィカルカレンダインターフェイス内の第２の月を備え、前記第２の所定の表示領域内の前記選択可能なグラフィカル要素は、前記グラフィカルカレンダインターフェイス内の前記第２の月におけるカレンダエントリを備えることを特徴とする請求項５に記載の方法。
【請求項８】
前記第１の所定の表示領域は、第１のメニューを備え、前記第１の所定の表示領域内の前記選択可能なグラフィカル要素は、選択可能なメニュー要素を備え、
前記第２の所定の表示領域内の前記選択可能なグラフィカル要素は、前記選択可能なメニュー要素に関連付けられた選択可能なサブ要素を備えることを特徴とする請求項５に記載の方法。
【請求項９】
トラックボールを用いて複数のテキスト入力フィールドを通じてナビゲートするためにコンピュータによって実行される方法であって、
第１のテキスト入力フィールドが選択されたとき、垂直成分および水平成分を有するトラックボールの動きを検出するステップと、
前記垂直成分が前記水平成分よりも大きいとき、前記トラックボールの動きが概ね垂直な動きを含むと判定するステップと、
前記第２のテキスト入力フィールドと同じ水平線内にある第３のテキスト入力フィールドの左端の水平座標と前記第１のテキスト入力フィールドの左端の水平座標との間の距離が、前記第２のテキスト入力フィールドの左端の水平座標と前記第１のテキスト入力フィールドの左端の水平座標との間の距離よりも近いかどうかに応じて、前記第１のテキスト入力フィールドに垂直方向に最も近接している第２のテキスト入力フィールド、または前記第２のテキスト入力フィールドと同じ水平線内にある前記第３のテキスト入力フィールドのいずれか一方を選択するステップと、
前記水平成分が前記垂直成分よりも大きいとき、前記トラックボールの動きが概ね水平な動きを含むと判定するステップと、
カーソルが前記第１のテキスト入力フィールドの先頭部分に置かれており前記水平な動きが左方向への動きであるとき、またはカーソルが前記第１のテキスト入力フィールドの終端部分に置かれており前記水平の動きが右方向への動きであるとき、前記トラックボールの動きの方向に最も近接している、前記第１のテキスト入力フィールドと同じ水平線内にある第４のテキスト入力フィールドを選択するステップと
を含むことを特徴とする方法。
【請求項１０】
前記概ね垂直な動きに応答して、前記第１のテキスト入力フィールドから第５のテキスト入力フィールドへの動きを定義する手動オーバーライドが存在するかどうか判定するステップと、
前記手動オーバーライドに応答して前記第５のテキスト入力フィールドを選択するステップと
をさらに含むことを特徴とする請求項９に記載の方法。
【請求項１１】
コンピュータによって実行されると、前記コンピュータに、
テキスト入力フィールドのグループのうちの第１のテキスト入力フィールドが選択されたとき、垂直成分および水平成分を有するトラックボールの動きを検出するステップと、
前記垂直成分が前記水平成分よりも大きいとき、前記トラックボールの動きが概ね垂直な動きを含むと判定するステップと、
前記第２のテキスト入力フィールドと同じ水平線内にある第３のテキスト入力フィールドの左端の水平座標と前記第１のテキスト入力フィールドの左端の水平座標との間の距離が、前記第２のテキスト入力フィールドの左端の水平座標と前記第１のテキスト入力フィールドの左端の水平座標との間の距離よりも近いかどうかに応じて、前記第１のテキスト入力フィールドに垂直方向に最も近接している第２のテキスト入力フィールド、または前記第２のテキスト入力フィールドと同じ水平線内にある前記第３のテキスト入力フィールドのいずれか一方を選択するステップと、
前記水平成分が前記垂直成分よりも大きいとき、前記トラックボールの動きが概ね水平な動きを含むと判定するステップと、
カーソルが前記第１のテキスト入力フィールドの先頭部分に置かれており前記水平な動きが左方向への動きであるとき、またはカーソルが前記第１のテキスト入力フィールドの終端部分に置かれており前記水平の動きが右方向への動きであるとき、前記トラックボールの動きの方向に最も近接している、前記第１のテキスト入力フィールドと同じ水平線内にある第４のテキスト入力フィールドを選択するステップと
を実行させるプログラムを記録したことを特徴とするコンピュータ読み取り可能な記録媒体。
【請求項１２】
前記コンピュータに、
前記概ね垂直な動きに応答して、前記第１のテキスト入力フィールドから第５のテキスト入力フィールドへの動きを定義する手動オーバーライドが存在するかどうかを判定するステップと、
前記手動オーバーライドに応答して前記第５のテキスト入力フィールドを選択するステップと
を実行させるプログラムをさらに記録したことを特徴とする請求項１１に記載のコンピュータ読み取り可能な記録媒体。
【請求項１３】
複数の選択可能なテキスト入力フィールドを含むグラフィカルユーザインターフェイスを表示するためのディスプレイと、
前記選択可能なテキスト入力フィールド間の移動を引き起こすユーザ入力を受け取るためのトラックボールと、
プログラムを格納するためのメモリと、
前記プログラムを実行して、
前記選択可能なテキスト入力フィールドのグループのうちの第１のテキスト入力フィールドが選択されたとき、垂直成分および水平成分を有するトラックボールの動きを検出するステップと、
前記垂直成分が前記水平成分よりも大きいとき、前記トラックボールの動きが概ね垂直な動きを含むと判定するステップと、
前記第２のテキスト入力フィールドと同じ水平線内にある第３のテキスト入力フィールドの左端の水平座標と前記第１のテキスト入力フィールドの左端の水平座標との間の距離が、前記第２のテキスト入力フィールドの左端の水平座標と前記第１のテキスト入力フィールドの左端の水平座標との間の距離よりも近いかどうかに応じて、前記第１のテキスト入力フィールドに垂直方向に最も近接している第２のテキスト入力フィールド、または前記第２のテキスト入力フィールドと同じ水平線内にある前記第３のテキスト入力フィールドのいずれか一方を選択するステップと、
前記水平成分が前記垂直成分よりも大きいとき、前記トラックボールの動きが概ね水平な動きを含むと判定するステップと、
カーソルが前記第１のテキスト入力フィールドの先頭部分に置かれており前記水平な動きが左方向への動きであるとき、またはカーソルが前記第１のテキスト入力フィールドの終端部分に置かれており前記水平の動きが右方向への動きであるとき、前記トラックボールの動きの方向に最も近接している、前記第１のテキスト入力フィールドと同じ水平線内にある第４のテキスト入力フィールドを選択するステップと
を実行するプロセッサと
を備えたことを特徴とする無線データ処理デバイス。
【請求項１４】
前記メモリは、前記プロセッサに、
前記概ね垂直な動きに応答して、前記第１のテキスト入力フィールドから第４のテキスト入力フィールドへの動きを定義する手動オーバーライドが存在するかどうかを判定するステップと、
前記手動オーバーライドに応答して前記第４のテキスト入力フィールドを選択するステップと
をさらに実行させるプログラムを備えることを特徴とする請求項１３に記載の無線データ処理デバイス。